(57)【特許請求の範囲】
【請求項１】
郵便箱のスライドシャッターの外面に装着された円筒状の枠体と、この枠体の外端部に摺動可能に嵌着され、外端面外周部に符号を等間隔に標記した摘みカップと、枠体内において摘みカップと同軸に回動、かつ回動軸に沿って摺動可能に収納され、内側から順に、ロックバー、内側フランジを備えた第１回転体、及び摘みカップを一体的かつ同軸に結合してなるスライドブロックと、このスライドブロックの中央部外周面に嵌着されると共に、上記内側フランジと所定の間隔を保つ外側フランジを備え、第１回転体と相対回動可能な筒状の第２回転体と、これら第１及び第２回転体の相互に対向する面に夫々突設されたツクと、上記内側及び外側フランジの所定の角度位置における外辺部に夫々形成された解錠切欠と、上記枠体の内側の所定の角度位置に、母線に沿いかつ所定の隙間を保つ内側及び外側係止駒とを有し、この係止駒の枠体内側への突出量を内側及び外側フランジと干渉するように定め、一方、施錠時、スライドブロックをスライドシャッター側に移動させてその内端のロックバーにスライドシャッターの裏板を貫通させ、また、内側及び外側フランジを夫々内側及び外側係止駒の内側に置いてスライドブロックの外方への移動を阻止することによりスライドシャッターを錠止し、他方、解錠時、摘みカップを操作して解錠切欠の角度位置を係止駒のそれに整合させることにより、スライドブロックを外方に移動可能にすることを特徴とするダイアル錠。
【発明の詳細な説明】
【技術分野】
【０００１】
この発明は、新規なダイアル錠に係り、特に、スライドする蓋板の施解錠に適したダイアル錠に関する。
【背景技術】
【０００２】
ダイアル錠の構造は、例えば下記特許文献１に記載されていて、それ自体周知である。
【特許文献１】特開平９−０７８９０９号公報
【発明の開示】
【発明が解決しようとする課題】
【０００３】
従来のダイアル錠は、例えば郵便箱の蓋板の錠止に用いられるが、従来の郵便箱の蓋板は鉛直又は水平な回動軸に支持されて外側に開く形式であり、上記特許文献１に記載された発明によるダイアル錠を含む従来のダイアル錠は、中空の外ケース内に揺動可能に保持され、傾斜端縁を有する頭部を外ケース外に突出させる方向にラッチばねで付勢させた平板状のラッチを有している。
【０００４】
しかしながら、上記の様なラッチを有するダイアル錠は、図１に示すように郵便箱の開口をスライドシャッターで開閉する郵便箱に装着することができない。
【０００５】
加えて、従来のラッチは蓋板を開くときラッチがばねで戻ってダイアル錠の部材に衝突するので、大きな騒音が発生する、という不都合もある。
【０００６】
そこで、この発明は、スライドシャッター式の郵便箱に装着することができ、しかも騒音が発生しないダイアル錠を提供することを目的としている。
【課題を解決するための手段】
【０００７】
上記の目的を達成するため、請求項１に記載の発明は、郵便箱のスライドシャッターの外面に装着された円筒状の枠体と、この枠体の外端部に摺動可能に嵌着され、外端面外周部に符号を等間隔に標記した摘みカップと、枠体内において摘みカップと同軸に回動、かつ回動軸に沿って摺動可能に収納され、内側から順に、ロックバー、内側フランジを備えた第１回転体、及び摘みカップを一体的かつ同軸に結合してなるスライドブロックと、このスライドブロックの中央部外周面に嵌着されると共に、上記内側フランジと所定の間隔を保つ外側フランジを備え、第１回転体と相対回動可能な筒状の第２回転体と、これら第１及び第２回転体の相互に対向する面に夫々突設されたツクと、上記内側及び外側フランジの所定の角度位置における外辺部に夫々形成された解錠切欠と、上記枠体の内側の所定の角度位置に、母線に沿いかつ所定の隙間を保つ内側及び外側係止駒とを有し、この係止駒の枠体内側への突出量を内側及び外側フランジと干渉するように定め、一方、施錠時、スライドブロックをスライドシャッター側に移動させてその内端のロックバーにスライドシャッターの裏板を貫通させ、また、内側及び外側フランジを夫々内側及び外側係止駒の内側に置いてスライドブロックの外方への移動を阻止することによりスライドシャッターを錠止し、他方、解錠時、摘みカップを操作して解錠切欠の角度位置を係止駒のそれに整合させることにより、スライドブロックを外方に移動可能にすることを特徴とする。
【発明の効果】
【０００８】
上記のように構成された請求項１に記載の発明は、解錠時摘みをその侭外側に引出してこれと一体のロックバーをスライドシャッターの裏板の開口から抜き出すので、ダイアル錠をスライドシャッター式の郵便箱等に適用できることになった。
【０００９】
また、スライドブロックの内外の移動のみで施解錠ができ、従来のダイアル錠におけるラッチ等の騒音を発する部材が無いので、作動が静粛である、等種々の効果を奏する。
【発明を実施するための最良の形態】
【００１０】
摘みカップのダイアル操作により内側及び外側フランジの解錠切欠の角度位置を揃える、という操作は従来のダイアル錠と同様であるが、スライドブロックを外側に引出すことにより枠体の係止駒に解錠切欠を潜り抜けさせる、という技術的思想が新規で、それによりロックバーをスライドシャッターの穴から抜くことができる。
【実施例１】
【００１１】
以下、この発明の一実施例を図面を参照して説明する。
図１において符号１は郵便箱のスライドシャッターを、符号２はスライドシャッターの外面に装着された本発明の一実施例によるダイアル錠を夫々示す。
【００１２】
図２に示す施錠状態では、後述するロックバー１６がスライドシャッター１を挿通して郵便箱に固定の裏板３を貫通しており、スライドシャッターを裏板にロックしている。
【００１３】
話をダイアル錠の構造に戻すと、この発明によるダイアル錠は円筒状の枠体５（図３乃至図６参照）を備えている。
【００１４】
この枠体５は、図４乃至図６に示すように、外周面基端部に段部６を、内周部の外側（図５で右側）に仕切部７を備えた円筒体である。
【００１５】
そして、この枠体５の内端部の内側には、後記第１及び第２回転体の回動時クリック作用を呈するクリックばね板８（図３参照）を挿着するためのばね溝９、９（図６参照）が形成されている。
【００１６】
また、図６において時計盤面に換算して概ね４時の角度位置には、後述する係止駒を挿着するための断面略Ｔ字形の駒溝１１が形成されている。
【００１７】
上記のように構成された枠体５は、後述するスライドブロック等を収納した状態で、裏板１２（図３参照）を介してスライドシャッター１の外面に装着される。
【００１８】
なお、図示の実施例では、タッピングねじ１３（図３参照）により、裏板３の裏面からよび付けられるようにしてスライドシャッターに装着される（図２参照）。
【００１９】
一方、上記枠体５の外周部の段部６（図５参照）より前方（外方）の部分には、カップ状の摘みカップ１４（図３及び図７乃至図９参照）が摺動可能に嵌着されている。
【００２０】
この摘みカップ１４の外端面外周部には、図７に示すように、暗証符号（図示の実施例では暗証番号の数字）が等角度間隔で標記されている。
【００２１】
他方、枠体５の内側には、図１０に示すように、全体を符号１５で示すスライドブロック１５が、摘みカップ１４と同軸に回動、かつ回動軸に沿って摺動可能に収納されている。
【００２２】
このスライドブロック１５は、図３及び図１０に示すように、有底円筒状のロックバー１６と、内側フランジ１７（図１１乃至図１３参照）を形成した段付円筒状の内筒１８と、回転盤１９とを相互に嵌め合せ、或いは突き合せ、先端をタッピングねじとした組立ビス２１により、摘みカップ１４の内側に一体に固定したものである。
【００２３】
なお、このとき、回転盤１９の外面に一体に突設された略十字形の第１係合突起２２（図１４参照）が、摘みカップ１４の内底面中央部に形成された１０個の第１係合凹部２３、２３に選択的に係合することにより、摘みカップ１４と回転盤１９の相対角度位置を決定し、摘みカップ１４の外端面に標記された暗証番号と内筒１８の解錠切欠２４（図１３参照）との関係角度を確定すると共に、摘みカップ１４と回転盤１９との回り止めを施す。
【００２４】
換言すれば、回転盤１９と摘みカップ１４との嵌め合いの態様を変えれば、ダイアル錠の暗証番号を変化させることができる。
【００２５】
同様にして、内筒１８の外端面中央部に形成された第２係合突起２５、２５（図１１参照）を回転盤１９の内面に形成された第２係合凹部２６、２６（図１６参照）に係合させることにより、内筒１８と回転盤１９の回り止めが施されている。
【００２６】
図３及び図１０に戻って、スライドブロック１５の中央部で、内筒１８の小径部外周面には、前記内側フランジ１７と所定の間隔を保つ外側フランジ２７を備え、第１回転体と相対回動可能な第２回転体２８が嵌着されている。
【００２７】
この第２回転体２８の外側フランジ２７の所定の角度位置には、内側フランジ１７（図１３参照）の解錠切欠２４と同様の解錠切欠２４が形成されている（図１９参照）。
【００２８】
また、第１回転体の一部をなす回転盤１９の内面と、この内面と相互に対向する第２回転体２８の外面には、夫々ツク２９（図１６及び図１７参照）が突設されている。
【００２９】
ちなみに、このツク２９と上記第２下位天体２８の解錠切欠の関係角度を変化させることにより、暗証番号を変化させることができる。
【００３０】
上記ツク２９、２９は、従来のダイアル錠のそれと同様の機能を有し、摘みカップ１４を所定の角度方向に１回転以上させてツクとツクとを確実に係合させ、更に所定の角度位置に迄回すことにより第２回転体の内側切欠２４を所定の角度位置、図示の実施例では後述の係止駒の角度位置に置く。
【００３１】
次いで、摘みカップを反対方向に所定の角度回し、第１回転体の一部である回転盤１９の解錠切欠２４を上記のように係止駒の角度位置に置き、一対の解錠切欠２４、２４を揃える。
【００３２】
上記のように暗証番号に応じて摘みカップ１４を回転操作して内側及び外側フランジの解錠切欠を揃えた角度位置における枠体の内周面に、図２０に示すように、係止駒３１（３２）が固設されている。
【００３３】
この係止駒は、図２１乃至図２３に示すように、内側係止駒３１と外側係止駒３２とを、所定の間隔を保って、横断面が円弧の一部をなす錨止板３３を介して一体に連結したもので、上記錨止板を駒溝１１（図６参照）に挿着する、という態様で枠体５の内周面に固定されている。
【００３４】
上記内側及び外側係止駒３１、３２の枠体内方への突出量は内側及び外側フランジの解錠切欠に係入できるように設定されている。
【００３５】
なお、内側及び外側フランジ１７、２７の外形は正多角形（図示の実施例では正十角形）をなし、これらの回転時クリック感が生じるように、これらは一対のクリック板ばね８、８の間に挟まれた状態で回動する。
【００３６】
また、図１０等おいて符号３４は圧縮コイルばねとしての摘みばねを示し、この摘みばね３４の機能については後に説明する。
【００３７】
上記のように構成されたこの発明の一実施例によるダイアル錠は、施錠時、図１０に示すように、スライドブロック１５及び第２回転体２８は枠体５の内側に押込まれており、ロックバー１６が裏板３の付番しない開口に差込まれているので、ロックバー１６を介してスライドシャッター１は裏板３に錠止される。
【００３８】
このときには、内側及び外側フランジ１７、２７は夫々内側及び外側係止駒３１、３２の内側にあるので、スライドブロック１５及び第２回転体２８は外方に移動することはできない。
【００３９】
一方、上記したように予め設定された暗証番号に応じて摘みカップ１４を回転操作し、図２０に示すように解錠切欠を係止駒の角度位置に揃えれば、摘みばね３４の弾力によりスライドブロック１５及び第２回転体２８は外方（図１０で右方）に移動するので、図２４に示すようにロックバー１６が裏板の付番しない開口から抜き出され、スライドシャッター１は自由になって郵便箱を開けることができる。
【００４０】
なお、摘みカップ１４を手で持って手前側に引張れば解錠が可能であるから、上記摘みばね３４は本発明の必須の構成ではない。
【００４１】
再施錠するときには、スライドシャッターを閉じた後摘みカップ１４を押込み、ロックバーに裏板の開口を挿通させてから摘みカップ１４を時計方向或いは反時計方向に回せばよい。
【図面の簡単な説明】
【００４２】
【図１】スライドシャッターを備えた郵便箱を説明するための線図。
【図２】この発明の一実施例によるダイアル錠の側面図で、施錠状態を示す。
【図３】この発明の一実施例によるダイアル錠の構成部品を展開して示す線図。
【図４】枠体の正面図。
【図５】枠体の側面図。
【図６】枠体の裏面図。
【図７】摘みカップの正面図。
【図８】摘みカップの側面図。
【図９】摘みカップの裏面図。
【図１０】この発明の一実施例によるダイアル錠の縦断面図で、施錠状態を示す。
【図１１】内筒の正面図。
【図１２】内筒の縦断面図。
【図１３】内筒の裏面図。
【図１４】回転盤の正面図。
【図１５】回転盤の断面図。
【図１６】回転盤の裏面図。
【図１７】第２回転体の正面図。
【図１８】第２回転体の断面図。
【図１９】第２回転体の裏面図。
【図２０】この発明によるダイアル錠の作動を説明するための線図。
【図２１】係止駒の正面図。
【図２２】係止駒の側面図。
【図２３】係止駒の下面図。
【図２４】図１０と同様のダイアル錠の断面図で、解錠状態を示す。
【図２５】この発明によるダイアル錠の作動を説明するための線図。
【符号の説明】
【００４３】
１  スライドシャッター
２  ダイアル錠
３  裏板
５  枠体
６  段部
７  仕切部
８  クリックばね板
９  ばね溝
１１  駒溝
１２  裏板
１３  タッピングねじ
１４  摘みカップ
１５  スライドブロック
１６  ロックバー
１７  内側フランジ
１８  内筒
１９  回転盤
２１  組立ビス
２２  第１係合突起
２３  第１係合凹部
２４  解錠切欠
２５  第２係合突起
２６  第２係合凹部
２７  外側フランジ
２８  第２回転体
２９  ツク
３１  内側係止駒
３２  外側係止駒
３３  錨止板
３４  摘みばね
【図１】
0005493182.tif 000002
【図２】
0005493182.tif 000003
【図３】
0005493182.tif 000004
【図４】
0005493182.tif 000005
【図５】
0005493182.tif 000006
【図６】
0005493182.tif 000007
【図７】
0005493182.tif 000008
【図８】
0005493182.tif 000009
【図９】
0005493182.tif 000010
【図１０】
0005493182.tif 000011
【図１１】
0005493182.tif 000012
【図１２】
0005493182.tif 000013
【図１３】
0005493182.tif 000014
【図１４】
0005493182.tif 000015
【図１５】
0005493182.tif 000016
【図１６】
0005493182.tif 000017
【図１７】
0005493182.tif 000018
【図１８】
0005493182.tif 000019
【図１９】
0005493182.tif 000020
【図２０】
0005493182.tif 000021
【図２１】
0005493182.tif 000022
【図２２】
0005493182.tif 000023
【図２３】
0005493182.tif 000024
【図２４】
0005493182.tif 000025
【図２５】
0005493182.tif 000026